(57)【特許請求の範囲】
【請求項１】
帯電、露光、現像及び転写の電子写真プロセスの過程を経て、入力した画像信号に基いた画像を形成する画像形成装置において、
転写材上に形成されたトナー像を加熱、加圧して定着させる加熱ローラと加圧ローラから成る定着ローラと、前記定着ローラを駆動させる定着ローラ駆動手段と、前記定着ローラ駆動手段の駆動状態を検知する駆動状態検知手段と、前記定着ローラより下流側の用紙搬送路中における用紙詰まりを検知する下流側詰まり検知手段とを備え、
前記下流側詰まり検知手段によって用紙詰まりが検知され、前記定着ローラの駆動が停止された後、前記定着ローラの駆動を再開する際に、
定着ローラ駆動手段は、あらかじめ定められた所定の時間だけ駆動トルクを画像形成動作時よりも小さくして前記定着ローラを駆動させ、前記駆動状態検知手段の検知する駆動状態が該所定の時間内にあらかじめ定めた駆動状態に達しない場合には、用紙詰まりが検知されたとして前記定着ローラの駆動を停止させることを特徴とする画像形成装置。
【請求項２】
請求項１記載の画像形成装置において、前記下流側詰まり検知手段によって用紙詰まりが検知された時に下流側ジャム発生を記憶させ、前記定着ローラ駆動手段があらかじめ定められた所定の時間だけ駆動トルクを画像形成動作時よりも小さくして前記定着ローラを駆動させ、前記駆動状態検知手段の検知する駆動状態が該所定の時間内にあらかじめ定めた駆動状態に達した場合に、下流側ジャム発生の記憶を解除する不揮発性記憶手段を有し、
電源再投入直後に、前記不揮発性記憶手段が下流側ジャム発生を記憶したままならば、定着ローラ駆動手段はあらかじめ定められた所定の時間だけ前記定着ローラへの駆動トルクを画像形成動作時よりも小さくして駆動させ、前記駆動状態検知手段の検知する駆動状態が該所定の時間内にあらかじめ定めた駆動状態に達しない場合には、用紙詰まりが検知されたとして前記定着ローラの駆動を停止させることを特徴とする画像形成装置。
【請求項３】
請求項１または２記載の画像形成装置において、前記駆動状態検知手段は、駆動状態を検知するために、前記定着ローラ駆動手段が前記定着ローラへ与える回転速度を検知することを特徴とする画像形成装置。
【請求項４】
請求項１、２、または３に記載の画像形成装置において、前記定着ローラへの駆動トルクを画像形成動作時よりも小さくして駆動している間は、前記加熱ローラを加熱しないことを特徴とする画像形成装置。
【発明の詳細な説明】
【０００１】
【発明の属する技術分野】
本発明は、電子写真複写機、ファクシミリ、レザープリンタ等の電子写真プロセスを用いた画像形成装置に関し、特に定着装置における用紙詰まりの検知精度の向上を狙った画像形成装置に関するものである。
【０００２】
【従来の技術】
従来から、電子写真複写機、ファクシミリ、レザープリンタ等の電子写真プロセスを用いた画像形成装置において、用紙詰まり（以下、用紙ジャムと記す）が発生すると、装置内の各所に設置された用紙詰まり検知手段によって用紙ジャムが検知され、画像形成動作を自動的に停止するようになっている。その後、用紙ジャムによる停止を解除するために操作扉を開き、詰まっている用紙を取り除き、開かれた操作扉を再び閉じることによって用紙ジャムによる停止が解除され、画像形成動作が再開可能とされていた。しかしながら、上記の用紙ジャムによる停止の解除動作において、詰まっている用紙が操作扉を開くだけで容易に確認できる場合には支障がないが、例えば、定着装置内に用紙が詰まっている場合には、定着装置がカバーで覆われているため確認し難く、さらに、詰まっている用紙が高温部にあるため取り出し難い。そのため、詰まっている用紙が完全に取り出されないまま再起動させてしまうことにより、次の用紙が再び用紙ジャムになったり、用紙の焼け焦げや煙の発生という障害を起こす原因にもなっていた。
その障害に対処するため、特開平５−３２３７０７号公報や特開平６−１７５５２４号公報に記載された発明では、開かれた操作扉が再び閉じられると、直ぐ用紙ジャムによる停止を解除するのではなく、用紙詰まり検知手段を働かせて装置内に用紙が残っていないことを確認してから用紙ジャムによる停止を解除していた。
また、特開平９−２３６９５８号公報に記載された発明では、定着装置の加熱ローラに負荷トルクを検出する手段を設け、検出された負荷トルク値がある一定以上になったとき、用紙詰まりが発生しているとみなし、画像形成動作や加熱ローラの回転を停止させていた。
【０００３】
【発明が解決しようとする課題】
しかしながら、上記の特開平５−３２３７０７号公報や特開平６−１７５５２４号公報に記載された発明のように、開いた扉が再び閉じられると直ぐに用紙ジャムによる停止を解除するのではなく、用紙詰まり検知手段を働かせて装置内に用紙が残っていないことを確認してから用紙ジャムによる停止の解除を行うようにしても、定着装置内の加熱ローラや加圧ローラに巻き付くようにして残った用紙片は、従来の用紙詰まり検知手段を働かせても検知されない場合がほとんどである。すなわち、従来の用紙詰まり検出手段では、加熱ローラ等に巻き付くように残った用紙片を確実に検出することはできなかったので、その結果、次の用紙が再び用紙ジャムになったり、用紙の焼け焦げや煙を発生させるという障害はなくすことはできなかった。
また、特開平９−２３６９５８号公報に記載された発明では、加熱ローラに絡まって負荷トルクを大きく変動させるような用紙ジャムを検出するには多いに効果があるが、詰まった用紙片が小さい場合や比較的薄い用紙を使用していた場合には、画像形成動作時の負荷トルクでは殆ど状態変化を与えず、検出できない場合が発生していた。すなわち、従来の負荷トルクを検出する手段では、小さい用紙片や比較的薄い用紙を確実に検出することはできなかったので、その結果、次の用紙が再び用紙ジャムになったり、用紙の焼け焦げや煙を発生させるという障害をなくすことはできなかった。
そこで、本発明が解決しようとする課題は、用紙詰まり動作を処理した後の次の用紙が用紙ジャムになることや残った用紙片の焼けこげ等を無くすために、定着装置内の加熱ローラや加圧ローラに詰まった用紙片が小さい場合や比較的薄い用紙の場合であっても、確実に検出できるようにし、用紙ジャムの検出精度を向上させた画像形成装置を提供することにある。
【０００４】
【課題を解決するための手段】
上記課題を解決するために、請求項１記載の画像形成装置の発明では、帯電、露光、現像及び転写の電子写真プロセスの過程を経て、入力した画像信号に基いた画像を形成する画像形成装置において、転写材上に形成されたトナー像を加熱、加圧して定着させる加熱ローラと加圧ローラから成る定着ローラと、前記定着ローラを駆動させる定着ローラ駆動手段と、前記定着ローラ駆動手段の駆動状態を検知する駆動状態検知手段と、前記定着ローラより下流側の用紙搬送路中における用紙詰まりを検知する下流側詰まり検知手段とを備え、前記下流側詰まり検知手段によって用紙詰まりが検知され、前記定着ローラの駆動が停止された後、前記定着ローラの駆動の再開に当たって、定着ローラ駆動手段はあらかじめ定められた所定の時間だけ前記定着ローラへの駆動トルクを画像形成動作時よりも小さくして駆動させ、前記駆動状態検知手段の検知する駆動状態が該所定の時間内にあらかじめ定めた駆動状態に達しないと、用紙詰まりが検知されたとして前記定着ローラへの駆動を停止させることを特徴とするものである。
また、請求項２記載の発明では、請求項１記載の画像形成装置において、前記下流側詰まり検知手段によって用紙詰まりが検知された時に下流側ジャム発生を記憶させ、前記定着ローラ駆動手段があらかじめ定められた所定の時間だけ駆動トルクを画像形成動作時よりも小さくして前記定着ローラを駆動させ、前記駆動状態検知手段の検知する駆動状態が該所定の時間内にあらかじめ定めた駆動状態に達した場合に、下流側ジャム発生の記憶を解除する不揮発性記憶手段を有し、電源再投入直後に、前記不揮発性記憶手段が下流側ジャム発生を記憶したままならば、定着ローラ駆動手段はあらかじめ定められた所定の時間だけ前記定着ローラへの駆動トルクを画像形成動作時よりも小さくして駆動させ、前記駆動状態検知手段の検知する駆動状態が該所定の時間内にあらかじめ定めた駆動状態に達しない場合には、用紙詰まりが検知されたとして前記定着ローラの駆動を停止させることを特徴とするものである。
【０００５】
また、請求項３記載の発明では、請求項１または２記載の画像形成装置において、前記駆動状態検知手段の検知する駆動状態は、前記定着ローラ駆動手段が前記定着ローラへ与える回転速度であることを特徴とするものである。
また、請求項４記載の発明では、請求項１、２、または３記載の画像形成装置において、前記定着ローラへの駆動トルクを画像形成動作時よりも小さくして駆動している間は、前記加熱ローラを加熱しないことを特徴とするものである。
上記のように構成された請求項１の発明は、定着ローラより下流側の用紙詰まりの解除後は、定着ローラ駆動手段によって、あらかじめ定められた所定の時間だけ定着ローラへの駆動トルクを画像形成動作時よりも小さくして駆動させ、定着ローラ駆動手段の駆動状態が該所定の時間内にあらかじめ定めた駆動状態に達しないと前記駆動状態検知手段によって検知されると、前記定着ローラへの駆動を停止させるようになっているので、定着装置内の加熱ローラや加圧ローラに薄い用紙や小片の用紙が巻き付くようにして残っても精度よく検出して、定着ローラへの駆動を停止させることができる。
また、請求項２の発明は、請求項１のように構成された画像形成装置の発明に加えて、電源再投入直後に、不揮発性記憶手段に下流側ジャム発生の記憶が残っていると、定着ローラ駆動手段によって、あらかじめ定められた所定の時間だけ定着ローラへの駆動トルクを画像形成動作時よりも小さくして駆動させて、定着ローラ駆動手段の駆動状態が該所定の時間内にあらかじめ定めた駆動状態に達しないと前記駆動状態検知手段によって検知されると、前記定着ローラへの駆動を停止させるようになっているので、残紙がある状態で電源が切られても、次回の電源投入時に残紙チェックを精度よく行い、用紙詰まりに対する安全性を高めることができる。
【０００６】
また、請求項３の発明は、請求項１または２のように構成された画像形成装置の発明に加えて、定着ローラ駆動手段によって、あらかじめ定められた所定の時間だけ定着ローラへの駆動トルクを画像形成動作時よりも小さくして駆動させて、定着ローラ駆動手段が前記定着ローラへ与える回転速度が該所定の時間内にあらかじめ定めた回転速度に達しないと、前記定着ローラへの駆動を停止させるようになっているので、定着装置内の加熱ローラや加圧ローラに薄い用紙や小片の用紙が巻き付くようにして残っても、簡単な機構追加によって精度よく確実に検出して、定着ローラへの駆動を停止させることができる。
また、請求項４の発明は、請求項１、２、または３のように構成された画像形成装置の発明に加えて、定着ローラへの駆動トルクを画像形成動作時よりも小さくして駆動している間は、前記加熱ローラを加熱しないようになっているので、残紙がある状態でも発火や煙の発生を防止することができる。
【０００７】
【発明の実施の形態】
次に、本発明の実施の形態を添付図面に基づいて詳細に説明する。
図１は、電子写真プロセスを用いた画像形成装置の代表例として、電子写真複写機（以下、複写機２０と記す）の主要部を示す側面図である。複写機２０の詳細な構成及び機能としては公知であるので概要だけを述べる。図１において、自動原稿給紙装置２１の原稿給紙台２２上に積載された原稿用紙Ｐは、各原稿給紙ローラ２３とそれに連動する原稿給紙ベルト２４の駆動により、読み取り用の原稿台２５上に一枚ずつ搬送され、読み取り光学系２６により原稿の画像情報が読み取られる。
読み取り光学系２６は、光源及びミラーからなる光学系前段２６ａと、光を集光させる光学レンズ部２６ｂと、光学レンズ部２６ｂからの光を感光体ドラム２７上に集光させる複数枚のミラーからなる光学系後段２６ｃ等で構成されている。光学系後段２６ｃを出た光は、前以て一様に帯電されている感光体ドラム２７上に露光し、画像情報に応じた静電潜像を形成する。次いで感光体ドラム２７上に形成された静電潜像は、感光体ドラム２７の回転に連れられて現像部２８のトナーにより可視像化される。
一方、転写材である転写紙を収納する給紙トレイ３０から供給された転写紙が、給紙ローラ３１、給紙搬送ローラ３２等の助けで感光体ドラム２７の方向に運ばれ、タイミングローラ３３によってタイミングを合わされて、転写紙に感光体ドラム２７上で作像されたトナー像が転写される。さらに、転写紙上に転写されたトナー像は定着部１０により熱定着される。後述する定着部１０は、加熱して回転可能な加熱ローラ１ａと、加熱ローラ１ａとの間で加圧され回転駆動を与える加圧ローラ１ｂとからなる定着ローラ１から主に構成されている。転写されたトナー像を持つ転写紙が加熱ローラ１ａと加圧ローラ１ｂとの間を通り抜ける際に、トナー像が転写紙上に熱定着される。さらに、定着部１０を通過した転写紙は予め決められた収納トレイ３４の一つに収納される。また、図１の複写機は両面コピーの機能が可能であり、その為に転写紙を反転できるように中間トレイ３５を持っている。
また、原稿に合わせて種々なサイズの用紙でコピーができるように、図では示していないがサイズの違う転写紙を格納する何種類の給紙トレイを格納する場所を持っている。種々の給紙トレイを用意すれば、給紙トレイの入替えなしにサイズの異なった用紙を供給できるが、装置の小型化と云う点から問題である。その為、一般に余り使用されないサイズの少量コピーや、不定形サイズの用紙の格納は、専用の給紙トレイを用意せず、手差しトレイ３６から行うのが一般的である。
また、給紙トレイ３０から供給された転写紙は感光体ドラム２７まで搬送されて、感光体ドラム２７上のトナー像が転写され、定着部１０により熱定着されて、収納トレイ３４の一つに収納されるまでの間、図示してないが搬送経路の各所に転写紙の通過を確認する用紙詰まり検知素子が設定されている。この用紙詰まり検知素子によって用紙が所定時間に検知されないと、用紙ジャムが発生したとして各部の駆動電力の供給を遮断することになる。また、プリント基板３７には、各部を制御する制御回路が搭載されており、その詳細については下に記述する。
【０００８】
図２は、プリント基板３７に搭載された制御回路とその周辺部の主要なブロック図である。ＣＰＵ１１は、主にプログラムを内蔵したＲＯＭ１２、メモリであるＲＡＭ１３、不揮発性記憶手段である不揮発性ＲＡＭ５、及びＩ／Ｏポート１４（１４ａ、１４ｂ）を介して各部と接続されている。即ち、ＣＰＵ１１は、表示操作部１５、扉開閉検知センサー１６ａ、ジャム検知センサー１６ｂまたは各種の検知センサー１６ｃからの検知信号をＩ／Ｏポート１４ｂを介して取り込み、状態を判断後、Ｉ／Ｏポート１４ａや各種のドライバ１７を介して各種のモータ１８及び各種のクラッチ１９に指示を与える。また、定着モータドライバ２ｂを通して定着モータ２ａを駆動する。さらに、定着モータ２ａ、即ち、図示しない定着ローラ１の駆動状態を調べるため、定着モータ２ａの回転軸に直結したエンコーダ３ａからの信号をＩ／Ｏポート１４ａを通して取り込んでいる。また、各種の表示は、Ｉ／Ｏポート１４ｂを介して表示操作部１５に指示することによって行われる。
また、電源ＯＦＦ時でも保存しておきたい情報は、不揮発性ＲＡＭ５に記憶する。定着モータ２ａへの定常駆動やパワーダウン駆動は、定着モータドライバ２ｂを介して行われる。モータのトルクを低くして回転駆動をあたえるパワーダウン駆動は、電流を小さくさせるか、電圧を換えて行う方法が一般的である。
【０００９】
また、図３は本発明の動作を説明するため、定着ローラ１と周辺の主要部を示した構成図である。定着ローラ１は、内蔵するヒータ１ｃによって加熱される加熱ローラ１ａと、該加熱ローラ１ａに接圧して回転する加圧ローラ１ｂとから構成されている。定着ローラ１の回転駆動は、定着ローラ駆動手段である定着ローラ駆動部２によってなされる。定着ローラ駆動部２は、本例では図２でも記述したが、定着モータ２ａと定着モータドライバ２ｂ等とから構成されている。また、定着モータ２ａの回転は、加圧ローラ１ｂの軸に取り付けられた加圧ローラギア１ｅから加熱ローラギア１ｄに伝えられて、両ローラが回転する。ここで、定着ローラ駆動部２、即ち、定着ローラ１の回転駆動状態は駆動状態検知手段である駆動状態検知部３によって検知される。また、駆動状態検知部３は、定着モータ２ａの軸に取り付けられたエンコーダ３ａと、エンコーダ３ａの回転を検知するエンコーダ検知センサ３ｂと、エンコーダ検知センサ３ｂの信号を処理するエンコーダ処理部３ｃから構成されている。
さらに、定着ローラ１の下流側には、下流側の用紙詰まりを検知するための下流側詰まり検知手段である下流側詰まり検知部４が設定されている。下流側詰まり検知部４は、下流側詰まり検知素子４ａと詰まり検知信号処理部４ｂから構成され、定着ローラ１を通過した転写紙は所定の時間内に下流側詰まり検知素子４ａで検知され、詰まり検知信号処理部４ｂによって処理され、下流側詰まりが生じているか否かが判断される。即ち、下流側詰まり検知素子４ａで検知した信号が、転写紙の定着ローラ１を通過後所定の時間内に得られなかったか、全く下流側詰まり検知素子４ａで検知できなかったかの時に、下流側詰まりが生じていると判断される。また、定着モータドライバ２ｂは、画像形成時においては定着モータ２ａを通常のパワートルクで駆動するようにし、下流側詰まり検知部４によって用紙詰まりが検知された後、定着ローラ１の駆動再開に当たって定着モータ２ａの駆動をパワーダウンさせることが可能である。
【００１０】
また、図４は、定着ローラ１をパワーダウンさせて駆動させた時、定着ローラ１に残紙がない場合と残紙がある場合の例を説明するものである。図４（Ａ）において、波形ａは定着モータ２ａをパワーダウンさせて駆動した波形を示しものである。波形ａによる定着モータ２ａの駆動に連れて、定着ローラ１に残紙がない場合には、定着モータ２ａに取り付けられたエンコーダ３ａからの入力パルスの周期ｔ１は、波形ｃの定着モータ２ａのパワーダウン中の速度検知期間で通常のパワートルクで駆動したと同等になる。従って、定着ローラ１のパワーダウン駆動の終了後は、波形ｄのごとく定着ヒータをＯＦＦからＯＮに換えて、画像形成動作準備に入るように図る。
また、図４（Ｂ）において、波形ａは定着モータ２ａをパワーダウンさせて駆動したタイミングを示す。定着ローラ１に残紙があって、波形ｂ１はエンコーダ３ａの回転が停止した場合、波形ｂ２は定着モータ２ａに取り付けられたエンコーダ３ａからの入力パルスの周期ｔ２が、波形ｃの速度検知期間で、通常のパワートルクで駆動した周期（≒ｔ１）よりずっと大きくなっている場合である。これは、残紙のために定着モータ２ａが動作しないか（波形ｂ１）、トルク不足になって非常に遅い回転動作になった場合か（波形ｂ２）を示している。この例では用紙詰まりが検知されたとして、図示しない定着ローラ１への駆動を停止させ、定着ヒータ（加熱ヒータ１ｃ）も加熱駆動を停止させる。
また、上記図４（Ａ）（Ｂ）で定着モータをパワーダウンさせて駆動させる際に、始めからパワーダウン駆動させると起動トルクに達せず、定着モータを駆動できない場合がある。その際は、最初の瞬間だけ定着モータに通常のパワートルクで駆動させておいて、直ぐパワーダウンの駆動に切り換えるようにすれば良い。特に、その駆動方法には触れないが、その場合においても本発明の効果は変わらない。
【００１１】
また、図５（Ａ）（Ｂ）は、本発明の画像形成装置での主要動作を示したフロー図である。図５（Ａ）において、用紙ジャム発生か否かが問われ（Ｓ１）、用紙ジャム発生でないなら（Ｓ１：Ｎｏ）用紙ジャム発生まで待つ。ここで、用紙ジャムが発生すると（Ｓ１：Ｙｅｓ）、安全のため総てのモータの駆動と定着ヒータの電源をＯＦＦにする（Ｓ２）。さらに、ステップＳ１で起きた用紙ジャムが、下流側詰まりによる用紙ジャムか否かが問われる（Ｓ３）。もし、下流側詰まりによる用紙ジャムならば（Ｓ３：Ｙｅｓ）、不揮発性ＲＡＭに下流側詰まりによる用紙ジャムのフラグをセットして（Ｓ４）、ステップＳ５に進める。また、ステップＳ３で下流側詰まりによる用紙ジャムでないならば（Ｓ３：Ｎｏ）、そのままステップＳ５に進める。
ステップＳ５では、用紙ジャム発生があったことのフラグをセット（Ｓ５）し、用紙ジャムの内容を表示させる（Ｓ６）。さらに、操作扉が開から閉に変わったか否かが問われ（Ｓ７）、操作扉が開から閉に変わっていなければ（Ｓ７：Ｎｏ）、操作扉が開から閉に変わるまで待ち、操作扉が開から閉に変われば（Ｓ７：Ｙｅｓ）、ポイントＡ（図５（Ｂ））に移る。
また、図５（Ｂ）において、操作扉が閉じられると、装置内に用紙が残っているか否かがチェックされる（Ｓ８）。装置内に用紙が残っていると（Ｓ９：Ｙｅｓ）、図５（Ａ）のポイントＣに飛び、ステップＳ６の用紙ジャムの内容を表示させるところからやり直す。また、ステップＳ９で、装置内に用紙が残っていないと（Ｓ９：Ｎｏ）、不揮発性ＲＡＭ５に下流側詰まりによる用紙ジャムのフラグがセットされているか否かが問われる（Ｓ１０）。もし、フラグがセットされているならば（Ｓ１０：Ｙｅｓ）、定着モータ２ａを所定時間パワーダウンにして駆動させる（Ｓ１１）。さらに、回転速度をチェックし（Ｓ１２）、パワーダウンでの駆動を解除する（Ｓ１３）。さらに、回転速度のチェックで、回転状態が正常か否かが問われる（Ｓ１４）。もし、回転状態が正常でないなら（Ｓ１４：Ｎｏ）、図５（Ａ）のポイントＣに飛び、ステップＳ６の用紙ジャムの内容を表示させるところからやり直す。
【００１２】
また、ステップＳ１４で、回転状態が正常であるならば（Ｓ１４：Ｙｅｓ）、不揮発性ＲＡＭ５の下流側詰まりによる用紙ジャムのフラグを解除させ（Ｓ１５）、ステップＳ１６に進める。また、ステップＳ１０において、不揮発性ＲＡＭに下流側詰まりによる用紙ジャムのフラグがセットされていないならば（Ｓ１０：Ｎｏ）、ステップＳ１６に進める。ステップＳ１６において、用紙ジャム発生があったことのフラグをリセットし（Ｓ１６）、画像形成動作に入ることを表示する（Ｓ１７）。さらに、定着及び各種ヒータの電源をＯＮにし（Ｓ１８）、本ルーチンを抜ける。
また、電源ＯＮ時は、装置の初期設定終了後、図５（Ｂ）のポイントＡから動作開始になる。
このようにして、定着装置内の加熱ローラや加圧ローラに薄い用紙や小片の用紙が巻き付くようにして残っても確実に用紙ジャムを検出することができる。
【００１３】
【発明の効果】
以上のように請求項１の発明によれば、定着装置内の加熱ローラや加圧ローラに薄い用紙や小片の用紙が巻き付くようにして残っても確実に検出できるように、用紙ジャムの検出精度を向上させた画像形成装置を提供できるようになった。請求項２の発明によれば、請求項１の画像形成装置の発明に加えて、残紙がある状態で電源が切られても、次回の電源投入時に残紙チェックを精度よく行い、用紙詰まりに対する安全性を高めた画像形成装置を提供することができるようになった。
請求項３の発明によれば、請求項１または２の画像形成装置の発明に加えて、簡単な機構追加によって定着装置内の残紙を精度よく確実に検出して、定着ローラへの駆動を停止させるように図った画像形成装置を提供できるようになった。請求項４の発明によれば、請求項１、２、または３の画像形成装置の発明に加えて、定着ローラへの駆動トルクを画像形成動作時よりも小さくして駆動している間は、前記加熱ローラを加熱しないようになったので、残紙がある状態でも発火や煙の発生を防止した画像形成装置を提供することができるようになった。
【図面の簡単な説明】
【図１】画像形成装置の主要部を示す側面図である。
【図２】図１に示す画像形成装置における制御回路とその周辺の主要部を示すブロック図である。
【図３】本発明の画像形成装置において定着ローラと周辺の主要部を示した構成図である。
【図４】（Ａ）は本発明の画像形成装置において定着ローラに残紙がない状態でパワーダウンさせて駆動させた時の主要部のタイミングを示した説明図、（Ｂ）は本発明の画像形成装置において定着ローラに残紙がある状態でパワーダウンさせて駆動させた時の主要部のタイミングを示した説明図である。
【図５】（Ａ）、（Ｂ）は本発明の画像形成装置における主要動作を示したフロー図である。
【符号の説明】
１  定着ローラ
１ａ  加熱ローラ
１ｂ  加圧ローラ
２  定着ローラ駆動部（定着ローラ駆動手段）
２ａ  定着モータ
２ｂ  定着モータドライバ
３  駆動状態検知部（駆動状態検知手段）
３ａ  エンコーダ
３ｂ  回転検知センサ
４  下流側詰まり検知部（下流側詰まり検知手段）
４ａ  下流側詰まり検知素子
４ｂ  詰まり検知信号処理部
５  不揮発性ＲＡＭ（不揮発性記憶手段）
１０  定着部
１１  ＣＰＵ
１２  ＲＯＭ
１３  ＲＡＭ
２０  複写機
【図１】
0003979616.tif 000002
【図２】
0003979616.tif 000003
【図３】
0003979616.tif 000004
【図４】
0003979616.tif 000005
【図５】
0003979616.tif 000006